(57)【要約】【課題】中央部を反転させて、ハンガーに衣服が吊り下げられたまま、身体に当てて着用時のイメージを得ることができるハンガー構造に関する。【解決手段】ハンガーの中央部と左右の肩部とがハンガーの縦方向の中心線と平行な分離線によって分離されると共に、前記中央部の左右両端が左右の肩部と枢着されており、前記中央部が、その底面の稜線をネックライン部としており、前記中央部が前記フックを上向きとするハンガーの通常姿勢から中央部をハンガーの正面または背面側へ枢動して前記フックを下向きにしネックライン部を上向きにする反転位置に枢動可能となっていることを特徴とする。【選択図】図１
0003147059.tif 000002
【実用新案登録請求の範囲】
【請求項１】
ハンガーの中央部分で上部に突出するフックを備えた中央部と、該中央部から左右側方へ延びる左右一対の肩部とを有するハンガーにおいて、
前記中央部と左右の肩部とが分離されており、中央部の縦方向の中心線に対して直交する軸線上に設けられた枢軸を介して中央部がハンガーの正面または背面側に回転可能に枢着されており、
反転位置で上方へ変位した中央部の底面の稜線が、通常姿勢で上方にある中央部の頂面の稜線より低い位置となるように設定され、前記中央部の底部の稜線がネックラインとなることを特徴とするハンガー構造。
【請求項２】
中央部と左右の肩部とがハンガーの縦方向の中心線と平行な分離線によって分離されると共に、前記中央部の左右両端が左右の肩部に同軸線上で枢着されていることを特徴とする請求項１に記載のハンガー構造。
【請求項３】
前記中央部の底面の稜線が、上向きに窪む、または略水平に延びるネックラインを形成してなることを特徴とする請求項１または２に記載のハンガー構造。
【請求項４】
前記中央部と肩部との前記分離位置での端面が同一輪郭形状からなり、
前記中央部と肩部の枢着位置が、同一線上に設定されると共に、前記端面の中央位置より下方に偏心した位置に設定されており、
前記中央部の反転位置で、中央部の端面が、前記左右の肩部の端面より下方位置にずれて変位し段部が形成されてなることを特徴とする請求項２または３に記載のハンガー構造。
【請求項５】
左右一対の肩部が、両肩部間に掛け渡される連結部材によって連動可能に連結されていることを特徴とする請求項１または２に記載のハンガー構造。
【請求項６】
中央部がフックが上向きとなるハンガーの通常姿勢で、中央部の枢動を係脱可能にロックするロック手段が設けられていることを特徴とする請求項１から５のいずれかに記載のハンガー構造。
【考案の詳細な説明】
【技術分野】
【０００１】
本考案は、中央部を反転させて、ハンガーに衣服が吊り下げられたまま、身体に当てて着用時のイメージを得ることができるハンガー構造に関する。
【背景技術】
【０００２】
ハンガーに吊り下げられた衣服の着用時のイメージを取得するには、ハンガーから衣服を取り外して試着する必要があり、手間がかかっていた。
また、試着するため、衣服の直接に肌に触れる部分が汚れる虞れもあった。
そこで、ハンガーに吊り下げたままで身体に当てると、ハンガーの中央部分およびフック部分が首から顔にかけて重なるため、明確なイメージを得ることができないという問題点があった。
そこで、ハンガー構造として、例えば、実公昭６０−６２８８号では、中央部分を上下に分離可能に連結し、下方に下向きの円弧形状の切欠を形成してき、上方の吊り下げ部を取り外したり、一方の肩部側へ枢動することで、試着と同様のイメージを取得しうる構成が開示されている。
しかし、上記構成では、吊り下げ部を取り外す構成では、着脱が緩いと通常のハンガー使用時に取り下げ部が外れるおそれがあり、着脱がきついと、取り外しにくいという欠点があり、また取り外した吊り下げ部が紛失する虞れもある。
また、肩部側へ枢動させる構成でも分離側に同様の問題があり、また枢動した吊り下げ部が外側に飛び出すので邪魔になり、フック部分が周囲の人の着衣に引っ掛かるなどの欠点がある。
一方、特開平１０−１７４６４５号では、中央のハンガー本体に枢着された肩部を９０度回転させて、肩部の縦の厚みを横の厚みに変えてコンパクトに梱包する構成が開示されているが、この場合は肩部を９０度回転させることを目的としており、ハンガーに吊り下げられた衣服を身体に当てて見るための構成とはなっていない。
更に、実開平３−４２２６９号では、包装や収納を行うときの体積を減少させるため吊鈎を有する枠体を回転させる構成が開示されており、吊鈎をハンガー体の外に出すか内側に納めるかの変位に過ぎず、前記と同様にハンガーに吊り下げられた衣服を身体に当てて見るための構成とはなっていない。
【特許文献１】実公平６０−６２８８号  第２図、第５図参照
【特許文献２】特開平１０−１７４６４５号
【特許文献３】実開平３−４２２６９号
【考案の開示】
【考案が解決しようとする課題】
【０００３】
この考案の解決しようとする主たる課題は、フックを把持してハンガーの中央部を下方へ反転させることで、中央部の底部の稜線をネックラインとして使用し、ハンガーに吊り下げられた衣服を身体に沿って当てるだけで、衣服の着用時のイメージを取得することができるハンガー構造を提供することにある。
【課題を解決するための手段】
【０００４】
上記課題を達成するために、請求項１の考案では、
ハンガーの中央部分で上部に突出するフックを備えた中央部と、該中央部から左右側方へ延びる左右一対の肩部とを有するハンガーにおいて、
前記中央部と左右の肩部とが分離されており、中央部の縦方向の中心線に対して直交する軸線上に設けられた枢軸を介して中央部がハンガーの正面または背面側に回転可能に枢着されており、
反転位置で上方へ変位した中央部の底面の稜線が、通常姿勢で上方にある中央部の頂面の稜線より低い位置となるように設定され、前記中央部の底部の稜線がネックラインとなることを特徴とする。
また、請求項２の考案では、
前記中央部と左右の肩部とがハンガーの縦方向の中心線と平行な分離線によって分離されると共に、前記中央部の左右両端が左右の肩部に同軸線上で枢着されていることを特徴とする。
また、請求項３の考案では、
前記中央部の底面の稜線が、上向きに窪む、または略水平に延びるネックラインを形成してなることを特徴とする。
更に、請求項４の考案では、
前記中央部と肩部との前記分離位置での端面が同一輪郭形状からなり、
前記中央部と肩部の枢着位置が、同一線上に設定されると共に、前記端面の中央位置より下方に偏心した位置に設定されており、
前記中央部の反転位置で、中央部の端面が、前記左右の肩部の端面より下方位置にずれて変位し段部が形成されてなることを特徴とする。
請求項５の考案では、
前記左右一対の肩部が、両肩部間に掛け渡される連結部材によって連動可能に連結されていることを特徴とする。
請求項６の考案では、
前記中央部がフックが上向きとなるハンガーの通常姿勢で、中央部の枢動を係脱可能にロックするロック手段が設けられていることを特徴とする。
【考案の効果】
【０００５】
本考案のハンガー構造では、フックを持って中央部を反転させるだけで衣服を吊り下げたハンガーにネックラインを形成して、前記フックを把持したままで身体に重ねることで、試着時のイメージを取得することができる。
また、中央部と肩部の枢軸の位置を中央より下方に偏心することで、反転した中央部が肩部に対して段差を介して凹むので、ハンガーに吊り下げた衣服の襟元が中央部に巻き込まれて折り返されにくくなる。
更に、左右の肩部を連結部材で連結しておくことで、中央部を傾動しても、両肩部は吊り下げられた衣服の自重と連結部材により連動力によって、元の姿勢を容易に維持することができる。
【考案を実施するための最良の形態】
【０００６】
以下に、この考案のハンガー構造について、図面を参照しながら説明する。
【実施例１】
【０００７】
［ハンガー］
図１および図２は、ハンガー１であって、横倒した略弓形をしており、全体の中央に配置された中央部２と、該中央部の中央で上方に突設されたフック３と、前記中央部２の左右側方に延びる一対の肩部１１、１２とからなっている。
図示例の場合、ハンガー１は底面が開放された中空体からなっているが、底面が塞がった中空体や無垢体、これらの組み合わせでもよい。
【０００８】
［分離線］
前記中央部２と、左右の肩部１１、１２とは、ハンガー１の縦方向の中心線Ｃと平行な分離線Ｌ１、Ｌ２に沿って分離されている。
また、分離線Ｌ１、Ｌ２に沿って対峙する中央部２の端面と、左右の肩部１１、１２の端面とはその輪郭形状が同一となっており、分離個所を挟む中央部２と左右の肩部１１、１２との間に凹凸ができないようになだらかな連続面を形成している。
【０００９】
［中央部］
中央部２は、その底面の稜線をネックラインとするネックライン部４を有している。
ネックライン部４は、上方または下方に湾曲しながら窪む円弧形状や角張って窪む矩形や梯形状の凹部、略水平または斜めに延びる直線状などであってもよい。
本実施例では、ハンガー通常使用時に上向きで円弧状に窪んでいるが、反転位置で、通常姿勢のときの中央部２の上面の位置よりネックライン部４が低位置となるものであればよい。
また、図示例の場合、上記中央部２の上部は略梯形状に隆起している。
【００１０】
［フック］
中央部２の中央位置には、上方へ延びるフック３が突設されている。
フック３は、前記中央部２から上向きに垂直に延び上方でＣ字状に湾曲する掛止部分を有して、中央部２に取り付けられた公知構成からなっている。
上記フック３は、中央部２に一体に形成されるものでも、中央部２から延びる軸部を中心にして３６０度旋回可能に取り付けられるものでもよい。
【００１１】
［肩部］
肩部１１、１２は前記中央部２と連続する周壁面を有し、端部に向かって前方へ僅かに湾曲し且つ幅広に形成されているが、中央部２の延長上に延びるものでもよいし、中央部２と同じ幅に設定されるものでもよい。
【００１２】
［枢着構造］
そして、分離された中央部２および肩部１１、中央部２および肩部１２とは、それぞれ枢軸Ｓ１、Ｓ２を軸受部Ｂ１、Ｂ２で軸支する枢着構造からなっている。
該枢軸Ｓ１、Ｓ２は、前記分離線Ｌ１、Ｌ２と直交する同軸線上に配置されている。
更に、本実施例では、前記枢軸Ｓ１、Ｓ２の位置は、前記分離面の中心位置より下方に偏心した位置に設定されている（図３参照）。
【００１３】
ここで、枢軸は、中央部２または肩部１１、１２に固定されて外方へ突出する軸部であってもよく、対向する肩部１１、１２または中央部２には上記軸部を軸受けする軸受部を設けて連結する構造でもよい。
【００１４】
［使用法］
上記構成からなっているので、衣服２０をハンガー１に吊り下げる場合には、通常のハンガーとして使用することができる。
試着イメージを取得したい場合には、前記フック３を手に持って、フック３をハンガー使用位置の正面または背面側へ枢動すると、衣服が掛け止められている左右の肩部１１、１２は衣服の自重で中央部２と連動せずに静止状態を維持するので、中央部２だけを傾倒させ、図４に示すように変位させることができる。
【００１５】
これにより、中央部２は略１８０度反転し、底面のネックライン部４がハンガー１の中央上部にあらわれる。
そこで、ネックライン部４を試着者の首の下に重ねることで、中央部２やフック３が邪魔にならずに試着とほぼ同様のイメージを取得することができる。
またフック３は、手でそのまま持って、衣服を保持することができるので、衣服を身体に重ねる際に、自在に微調整を行うこともできる。
【００１６】
本実施例では、枢軸Ｓ１、Ｓ２が下方に偏心しているので、前記反転時に肩部１１、１２の分離面と、中央部２の分離面との間に段差１３が生じる。
そのため、ハンガー１に吊り下げられた衣服２０の襟首部分の一部が中央部２に掛かっていても、反転時には肩部１１、１２のみに掛かるので、中央部２の反転動作の邪魔にならず、スムーズに反転させることができる。
【実施例２】
【００１７】
図５に示すハンガー１は、肩部１１、１２間を連結する連結部材１５を設けている。
この連結部材１５により、左右の肩部１１、１２を一体的に連動しやすくすることができる。
上記連結部材１５は、ズボンやスカート掛け部として利用することもできる。
その他の構成は前記実施例１と同様なので、その説明を省略する。
【実施例３】
【００１８】
図６に示すハンガー１は、中央部２と、フック３と、左右の肩部１１、１２と、肩部１１，１２の先端間を結ぶ連結片１６とを有する平面的なプレートからなっている。
【００１９】
そして、中央部２と左右の肩部１１、１２の一面側に軸受部を突設し、枢軸Ｓ１、Ｓ２が軸受されている。
この場合も、前記実施例と同様に、中央部２を反転させて使用することができる。
その他の構成は前記実施例２に準じるので、その説明を省略する。
【００２０】
本実施例では、中央部２はハンガー１の正面または背面側に枢動しうるが、いずれか一方（例えば、背面側方）へのみ枢動しうるように枢動方向を規制する規制手段を追加してもよい。
例えば、図７に示すように、肩部１１、１２の少なくともいずれか一方に、前記中央部２が所定方向（例えば、前方）へ枢動しようとすると衝合する規制手段の一例としての突片１７を一体に形成するなどである。
【００２１】
また、中央部２が、フック３が上向きとなるハンガーの通常姿勢で、中央部２の枢動を係脱可能にロックするロック手段６を設けてもよい。
ロック手段６として、例えば、図８に要部を示すように、肩部１１、１２の枢動側端面に凹凸係合する凸部または凹部の一方（図示例では凸部６ａ）を形成し、中央部２の枢動側端面に凸部または凹部の他方を形成しておき、ハンガーの通常姿勢時に、上記凸部と凹部とが係合して中央部２の姿勢を保持することができる。
【００２２】
この場合、中央部２を強く引くことで上記凹凸係合を解除し、中央部２を枢動して反転させることができる。
ここで凸部は、拡縮に形成されるもの、あるいは枢動側端面に出没可能なものなど、公知の係脱可能なロック構成を用いることができる。
また、ロック手段は、上記通常姿勢位置に代えて、またはこれと共に反転位置にてロックする構造でもよい。
【実施例４】
【００２３】
図９に示すハンガー１は、左右の肩部１１と１２とが、軸部Ｓ３によって連結されており、該軸部Ｓ３は中央部２を横に貫通しており、中央部２の貫通孔２ａが軸受となって枢着されている。
【００２４】
この実施例４の場合、前記軸部Ｓ３は中央部２の高さ方向の中央より下方へ偏倚した位置に設定されているので、中央部２を軸部Ｓ３を支軸としてハンガーの正面または背面側に回転することで、中央部２の底面のネックライン部４を上方へ変位させた際に、ネックライン部４の位置を、通常姿勢の中央部２の上面より低位置とすることができる。
また、上記ネックライン部４は、肩部１１、１２の上端位置よりも低位置となっている。
上記実施例４では、肩部１１、１２は軸部Ｓ３と別体のものを軸部Ｓ３に固定したが、軸部Ｓ３を左右に延長してその両端側を肩部として使用するものであってもこの考案に含まれる。
【００２５】
この考案で、ハンガーを構成する部材の形状は前記実施例に限定されず、また中央部と肩部の枢着構造も枢軸ピンを用いる構成に限定されるものではなく、回転可能に取り付けられていればよく、要するに、この考案の要旨を変更しない範囲で種々設計変更しうる。
【図面の簡単な説明】
【００２６】
【図１】実施例１のハンガーの正面図である。
【図２】図１の中央部を反転した状態の正面図である。
【図３】枢着部分の拡大断面図である。
【図４】使用状態を示す説明図である。
【図５】実施例２のハンガーの正面図である。
【図６】実施例３のハンガーの正面図である。
【図７】規制手段を設けた場合の平面図である。
【図８】通常姿勢を維持するロック手段を示す要部拡大図である。
【図９】実施例４のハンガーの正面図である。
【符号の説明】
【００２７】
１    ハンガー
２    中央部
３    フック
４    ネックライン部
６    ロック手段
１１、１２  肩部
１３    段差
１５    連結部材
１６    連結片
１７    突片
Ｓ１、Ｓ２  枢軸
Ｌ１、Ｌ２  分離線
【図１】
0003147059.tif 000003
【図２】
0003147059.tif 000004
【図３】
0003147059.tif 000005
【図４】
0003147059.tif 000006
【図５】
0003147059.tif 000007
【図６】
0003147059.tif 000008
【図７】
0003147059.tif 000009
【図８】
0003147059.tif 000010
【図９】
0003147059.tif 000011